(57)【要約】【課題】前面投射型表示装置と反射型スクリーンの組み合わせからなる表示システムにおいて、外光の影響を抑えて表示画像のコントラストの改善を図る。【解決手段】フロントプロジェクタ５からの投射光が投射される反射型スクリーン４の反射特性を、「Ｅ型偏光板」層を用いることにより、偏光方向が特定の一軸方向である光のみを反射し、この一軸方向の他の方向の偏光成分を吸収する特性とする。フロントプロジェクタ５からの画像投射光５ａは、反射型スクリーン４で反射される方向の直線偏光とする。反射型スクリーン４では、フロントプロジェクタ５からの投射光と同じ偏光方向の直線偏光の光は反射され、これ以外の光は反射されない。すなわち、投射光が優先的に反射され、外光の影響が抑えられ、表示画像のコントラストが向上する。【選択図】  図１１
2004212921.tif 000002
【特許請求の範囲】
【請求項１】
前面投射型表示装置から投射される投射光を反射することで画像表示を行う反射型スクリーンであって、
投射光が入射する最表面に設けられた表面層と、
最背面に設けられ光を反射する反射層と、
上記表面層と上記反射層との間に設けられ、偏光方向が特定の一軸方向の光束のみを透過させ、この一軸方向の他の方向の偏光成分を吸収する吸収層と
を有することを特徴とする反射型スクリーン。
【請求項２】
上記吸収層は、略々平板形状の立体構造を有する色素分子が基材上に配列されて形成されており、
上記各色素分子は、平板形状の主面部を上記基材の主面部に対して略々垂直とするとともに、互いに積層状となされて配列されている
ことを特徴とする請求項１記載の反射型スクリーン。
【請求項３】
上記特定の一軸方向を縦方向とすることを特徴とする請求項１記載の反射型スクリーン。
【請求項４】
少なくとも、前面投射型表示装置と、所定の偏光状態の光を吸収する吸収層を有し上記前面投射型表示装置からの投射光が投射される反射型スクリーンとが設置される室内に設けられ、この室内を照明する照明装置であって、
少なくとも上記反射型スクリーンを照明する照明光については、偏光方向が特定の一軸方向の光束のみを透過させこの一軸方向の他の方向の偏光成分を吸収する吸収板を透過して、特定の一軸方向の偏光状態となされ、上記反射型スクリーンの吸収層において吸収される偏光状態となされている
ことを特徴とする照明装置。
【請求項５】
上記前面投射型表示装置における投射光の光源を光源として用い、該投射光として使用される光の残余の光成分を照明光として使用することを特徴とする請求項４記載の照明装置。
【請求項６】
少なくとも前面投射型表示装置と、この前面投射型表示装置からの投射光が投射される反射型スクリーンとを有する表示システムであって、
上記反射型スクリーンは、投射光が入射する最表面に設けられた表面層と、最背面に設けられ光を反射する反射層と、上記表面層と上記反射層との間に設けられ、偏光方向が特定の一軸方向の光束のみを透過させ、この一軸方向の他の方向の偏光成分を吸収する吸収層とを有し、
上記前面投射型表示装置は、上記吸収層を透過する特定の一軸方向の偏光成分からなる投射光を該反射型スクリーンに投射することによって画像表示を行う
ことを特徴とする表示システム。
【請求項７】
少なくとも上記反射型スクリーンを含む領域を照明する照明装置を備え、
上記照明装置は、少なくとも上記反射型スクリーンを照明する照明光については、偏光方向が特定の一軸方向の光束のみを透過させこの一軸方向の他の方向の、偏光成分を吸収する吸収板を透過させて、特定の一軸方向の偏光状態としており、上記反射型スクリーンの吸収層において吸収される偏光状態としている
ことを特徴とする請求項６記載の表示システム。
【請求項８】
室外からの光のうち少なくとも上記反射型スクリーンに達する光については、偏光方向が特定の一軸方向の光束のみを透過させこの一軸方向の他の方向の偏光成分を吸収し、上記反射型スクリーンの吸収層において吸収される偏光状態として室内に透過させる吸収板を備えている
ことを特徴とする請求項６記載の表示システム。
【請求項９】
室外からの光のうち少なくとも上記反射型スクリーンに達する光については、偏光方向が特定の一軸方向の光束のみを透過させこの一軸方向の他の方向の偏光成分を吸収し、上記反射型スクリーンの吸収層において吸収される偏光状態として室内に透過させるブラインドカーテンを備えている
ことを特徴とする請求項６記載の表示システム。
【請求項１０】
少なくとも反射光が上記反射型スクリーンに達する範囲の壁面、床面及び天井面には、偏光方向が特定の一軸方向の光束のみを反射しこの一軸方向の他の方向の偏光成分を吸収し、上記反射型スクリーンの吸収層において吸収される偏光状態の光のみを選択的に反射させる反射部材が備えられている
ことを特徴とする請求項６記載の表示システム。
【請求項１１】
少なくとも上記反射型スクリーンを含む領域を照明する照明装置を備え、
上記照明装置は、少なくとも上記反射型スクリーンを照明する照明光については、偏光方向が特定の一軸方向の光束のみを吸収しこの一軸方向の他の方向の偏光成分を透過させる吸収板を透過させ、上記反射型スクリーンの吸収層において吸収される直線偏光としている
ことを特徴とする請求項６記載の表示システム。
【請求項１２】
室外からの光のうち少なくとも上記反射型スクリーンに達する光については、偏光方向が特定の一軸方向の光束のみを吸収しこの一軸方向の他の方向の偏光成分を透過させ、上記反射型スクリーンの吸収層において吸収される直線偏光として室内に透過させる吸収板を備えている
ことを特徴とする請求項６記載の表示システム。
【請求項１３】
室外からの光のうち少なくとも上記反射型スクリーンに達する光については、偏光方向が特定の一軸方向の光束のみを吸収しこの一軸方向の他の方向の偏光成分を透過させ、上記反射型スクリーンの吸収層において吸収される直線偏光として室内に透過させるブラインドカーテンを備えている
ことを特徴とする請求項６記載の表示システム。
【請求項１４】
少なくとも反射光が上記反射型スクリーンに達する範囲の壁面、床面及び天井面には、偏光方向が特定の一軸方向の光束のみを吸収しこの一軸方向の他の方向の偏光成分を反射し、上記反射型スクリーンの吸収層において吸収される直線偏光の光のみを選択的に反射させる反射部材が備えられている
ことを特徴とする請求項６記載の表示システム。
【請求項１５】
上記特定の一軸方向を上記反射型スクリーンの縦方向とすることを特徴とする請求項６記載の表示システム。
【発明の詳細な説明】
【０００１】
【発明の属する技術分野】
本発明は、投射光が前面から投射されて画像を表示する反射型スクリーンと、この反射型スクリーン及びこの反射型スクリーンに前面から投射光を投射して画像を表示する前面投射型表示装置が備えられる室内に設けられる照明装置とに関する。また、少なくとも反射型スクリーン及び前面投射型表示装置を備える表示システムに関する。
【０００２】
【従来の技術】
近年、表示装置として、画像を表示する投射光をスクリーンに投射することによって、大画面の画像表示を得るようになされた投射型表示装置、いわゆるプロジェクタが広く普及している。
【０００３】
そして、このようなプロジェクタの１つとして、前面投射型表示装置、いわゆるフロントプロジェクタが知られている。このフロントプロジェクタは、反射型スクリーンに対してその前面側から投射光を投射することにより、画像の表示を行う。
【０００４】
このような投射型表示装置（フロントプロジェクタ）と、反射型スクリーンとを用いて画像表示を行うにあたっては、外光の影響によって、いわゆる「黒が浮いた」状態となり、表示画像の品質の一つであるコントラストが低下するという問題がある。すなわち、反射型スクリーンの周囲が明るい環境下においては、外光が反射型スクリーンによって反射されて観察者の瞳に入射してしまい、表示画像について十分なコントラストが得られなくなる。
【０００５】
例えば、上述のようなフロントプロジェクタ及び反射型スクリーンからなる表示システムを室内に設置した場合について考える。この場合において、室内には、フロントプロジェクタからの投射光以外に、いわゆる外光が反射型スクリーンにも到達する。すなわち、例えば太陽光などの屋外からの光や、照明器具などから照射される室内照明光が、反射型スクリーンにも到達し、この反射型スクリーンによって反射される。
【０００６】
このように、反射型スクリーンによって反射された外光の反射光の明るさが、フロントプロジェクタからの投射光の明るさに対して相応に明るい環境下では、反射型スクリーン上に表示される画像について、充分なコントラストが得られなくなる。
【０００７】
そのため、フロントプロジェクタにより反射型スクリーン上に画像を表示するときには、通常、室内を暗くするようにしている。しかし、室内を暗くしてしまうと、反射型スクリーン上に表示された画像以外のものが見えなくなってしまい、不便である。
【０００８】
このような不便を解消するためには、プロジェクタからの投射光のみを選択的に反射拡散し、外光を吸収する反射型スクリーンを用いることが考えられる。このような反射型スクリーンを用いれば、室内を暗くすることなく、反射型スクリーン上に良好なコントラストの画像を表示することができる。
【０００９】
フロントプロジェクタから投射される投射光のみを選択的に反射拡散する反射型スクリーンの構成としては、いわゆる偏光スクリーンと呼ばれる偏光選択性を有する反射型スクリーンを用いることが提案されている。すなわち、所定方向の直線偏光を吸収する性質を有する反射型スクリーンを用いると共に、フロントプロジェクタからの投射光は、液晶フロントプロジェクタなどを用いることにより、反射型スクリーンにおいて吸収される偏光方向に直交する方向の直線偏光としておく。すると、フロントプロジェクタからの投射光が略々そのまま反射型スクリーンにおいて反射されるのに対し、外光は、通常無偏光であるので、略々半分程度が反射型スクリーンにおいて吸収される。その結果、フロントプロジェクタからの投射光の強度が弱い、黒を表示した部分の反射輝度を抑えることができ、表示画像のコントラストを改善することができる。
【００１０】
さらに、室内の照明器具からの室内照明光を反射型スクリーンにおいて吸収される方向の直線偏光としておき、屋外からの外光を極力遮断するようにすることにより、表示画像のコントラストをより改善することができる。
【００１１】
【特許文献１】
特開２００２−２３６２１１公報
【特許文献２】
特表２００１−５１２８４５公報
【００１２】
【発明が解決しようとする課題】
ところで、上述のような従来の反射型スクリーンにおける偏光選択性は、この反射型スクリーンの表面部、または、表面部近傍を構成する層として、いわゆる「Ｏ型偏光板」を用いることにより実現されている。
【００１３】
この「Ｏ型偏光板」は、図２０に示すように、吸収する偏光の方向が、空間上の一つの軸（例えば、ｎｅ軸）上のみの一直線として存在する特性を有する偏光板である。従来より一般的に使用されている偏光板は、このような特性を有しているものである。
【００１４】
このような「Ｏ型偏光板」においては、所定の一方向の偏光成分は吸収されるが、この方向から外れた偏光成分は透過してしまう。したがって、このような「Ｏ型偏光板」においては、吸収する一方向に対して入射方向が鋭角をなす直線偏光については、この入射光の偏光方向がいかなる方向であっても、偏光選択性は充分に発揮されず、多くの成分が透過してしまう。「Ｏ型偏光板」を透過する光は、反射型スクリーン全体としては反射してしまうことになり、表示画像のコントラストを低下させる原因となる。
【００１５】
室内における外光は、反射型スクリーンに対して正面から入射することは少なく、反射型スクリーンの周辺側から照射されることが多い。したがって、上述のような「Ｏ型偏光板」の特性に鑑みると、このような外光が反射型スクリーンにおいて反射されてしまう割合は高く、コントラストの良好な画像を表示することが困難となっていた。
【００１６】
さらに、照明器具から発せられる照明光を偏光させる場合においても、この照明光を「Ｏ型偏光板」を透過させることによって行っていたため、この照明光においては、反射型スクリーンの「Ｏ型偏光板」において吸収されない成分が多く残ってしまうという問題があった。すなわち、照明器具から発せられて「Ｏ型偏光板」を透過する照明光のうち、この「Ｏ型偏光板」を斜めに透過する光においては、反射型スクリーンの「Ｏ型偏光板」において吸収されない偏光成分を多く含むことになってしまい、表示画像のコントラストを低下させる原因を充分に解消できないこととなっていた。
【００１７】
そこで、本発明は、上述の実情に鑑みて提案されるものであって、前面投射型表示装置（フロントプロジェクタ）によって画像表示光を投射される反射型スクリーンにおいて、この反射型スクリーンに到達する外光が明るい環境下であっても、充分に高いコントラストの表示画像が得られるようになされた反射型スクリーンを提供し、また、このような反射型スクリーンにおいて反射されない照明光を照射することができる照明装置を提供し、さらに、このような反身型スクリーン及び前面投射型表示装置らなり、あるいは、さらに、上述のような照明装置を有して構成される表示システムを提供しようとするものである。
【００１８】
【課題を解決するための手段】
上述の課題を解決するため、本発明に係る反射型スクリーンは、前面投射型表示装置から投射される投射光を反射することで画像表示を行う反射型スクリーンであって、投射光が入射する最表面に設けられた表面層と、最背面に設けられ光を反射する反射層と、上記表面層と上記反射層との間に設けられ、偏光方向が特定の一軸方向の光束のみを透過させ、この一軸方向の他の方向の偏光成分を吸収する吸収層とを有することを特徴とするものである。
【００１９】
また、本発明に係る照明装置は、少なくとも、前面投射型表示装置と、所定の偏光状態の光を吸収する吸収層を有し前記前面投射型表示装置からの投射光が投射される反射型スクリーンとが設置される室内に設けられ、この室内を照明する照明装置であって、少なくとも上記反射型スクリーンを照明する照明光については、偏光方向が特定の一軸方向の光束のみを透過させこの一軸方向の他の方向の偏光成分を吸収する吸収板を透過して、特定の一軸方向の偏光状態となされ、上記反射型スクリーンの吸収層において吸収される偏光状態となされていることを特徴とするものである。
【００２０】
そして、本発明に係る表示システムは、少なくとも前面投射型表示装置と、この前面投射型表示装置からの投射光が投射される反射型スクリーンとを有する表示システムであって、上記反射型スクリーンは、投射光が入射する最表面に設けられた表面層と、最背面に設けられ光を反射する反射層と、上記表面層と上記反射層との間に設けられ、偏光方向が特定の一軸方向の光束のみを透過させこの一軸方向の他の方向の偏光成分を吸収する吸収層とを有し、上記前面投射型表示装置は、上記吸収層を透過する特定の一軸方向の偏光成分からなる投射光を該反射型スクリーンに投射することによって画像表示を行うことを特徴とするものである。
【００２１】
また、少なくとも上記反射型スクリーンを含む領域を照明する照明装置を備え、上記照明装置は、少なくとも上記反射型スクリーンを照明する照明光については、偏光方向が特定の一軸方向の光束のみを透過させこの一軸方向の他の方向の、偏光成分を吸収する吸収板を透過させて、特定の一軸方向の偏光状態としており、上記反射型スクリーンの吸収層において吸収される偏光状態とするものとすることができる。
【００２２】
本発明に係る反射型スクリーンにおいては、偏光方向が特定の一軸方向である光束のみを透過させこの一軸方向とは異なる他の方向の偏光成分を吸収する吸収層を有して構成されていることにより、投射された光束のうち特定方向の直線偏光成分の光のみを選択反射する機能が得られる。
【００２３】
したがって、本発明に係る反射型スクリーンと前面投射型表示装置とを組み合わせた本発明に係る表示システムにおいては、前面投射型表示装置から反射型スクリーンに投射された該反射型スクリーンの吸収層を透過する特定の一軸方向の偏光成分からなる投射光は、反射型スクリーンにおいて選択反射され一方、投射光と異なる方向の直線偏光成分は、吸収層において吸収され、反射型スクリーンにより反射されない。
【００２４】
そして、本発明に係る照明装置においては、少なくとも反射型スクリーンを照明する照明光については、吸収板により、偏光方向が特定の一軸方向の光束のみとなされ、反射型スクリーンにおいて、この一軸方向と異なる軸方向の他の方向の偏光成分を吸収する吸収層において吸収されるので、反射型スクリーンにおいて反射されない。
【００２５】
さらに、上述のような反射型スクリーン、前面投射型表示装置及び照明装置を組み合わせた本発明に係る表示システムにおいては、前面投射型表示装置から反射型スクリーンに投射された該反射型スクリーンの吸収層を透過する特定の一軸方向の偏光成分からなる投射光は、反射型スクリーンにおいて選択反射され、一方、投射光と異なる方向の直線偏光成分は、吸収層において吸収され、反射型スクリーンにより反射されず、また、照明装置において、少なくとも反射型スクリーンを照明する照明光については、吸収板により、偏光方向が上記特定の一軸方向と異なる一軸方向の光束のみとなされるので、反射型スクリーンにおいて、上記特定の一軸方向と異なる一軸方向の偏光成分を吸収する吸収層において吸収されるので、反射型スクリーンにおいて反射されない。
【００２６】
【発明の実施の形態】
以下、本発明の実施の形態について、図面を参照しながら説明する。
【００２７】
この実施の形態においては、少なくとも、投射光を投射する前面投射型表示装置（フロントプロジェクタ）と、この前面投射型表示装置から投射された投射光を反射させることで画像を表示する本発明に係る反射型のスクリーンとを備える本発明に係る表示システムについて説明する。さらに、本発明に係る照明装置及び上述の表示システムにさらにこの照明装置を加えた本発明に係る表示システムについて説明する。
【００２８】
まず、この実施の形態としての表示システムの具体的構成例を説明するのに先立って、この実施の形態の構成についての前提となる事柄、すなわち、「Ｏ型偏光板」と「Ｅ型偏光板」の違いについて説明する。
【００２９】
〔「Ｅ型偏光板」について〕
通常用いられている偏光板は、いわゆる二色性の物質で構成され、前述したように、「Ｏ型偏光板」と呼ばれるものである。この「Ｏ型偏光板は、屈折率楕円体において光吸収軸の方向を記述すると、図２０に示すように、異常光線軸（ｎｅ軸）の方向の屈折率が複素数になっており、この軸の方向が光吸収軸となる。すなわち偏光方向がこの光吸収軸方向である光は、この「Ｏ型偏光板」において吸収される。「Ｏ型」と呼ぶのは、常光線（ｏｒｄｉｎａｒｙ  ｒａｙ）軸（ｎｏ軸）の方向が光透過軸になっているためである。そして、通常の「Ｏ型偏光板」では、偏光板の面内に、光吸収軸がある。
【００３０】
これに対し、本発明に係る反射型スクリーン及び照明装置等において使用している「Ｅ型偏光板」では、図１に示すように、２つある常光線軸（ｎｏ軸）の方向の屈折率が複素数となっており、偏光方向がこれら常光線軸の方向である光を吸収する。「Ｅ型」と呼ぶのは、異常光線（ｅｘｔｒａ  ｏｒｄｉｎａｒｙ  ｒａｙ）軸（ｎｅ軸）の方向が光透過軸になっているためである。この「Ｅ型偏光板」は、偏光方向が２つの常光線軸（ｎｏ軸）のなす面内のいずれかの方向である光を吸収する。そして、「Ｅ型偏光板」では、偏光板の面内に光透過軸がある。
【００３１】
このような「Ｅ型偏光板」は、例えば、図２に示すように、差し渡し径が２ｎｍ程度の略々平板形状の立体構造を有する色素分子Ｐを基材Ｂ上に配列させることで形成することができる。この場合、各色素分子Ｐは、平板形状の主面部を基材Ｂの主面部に対して略々垂直とするとともに、互いに積層状となされて配列されている。
【００３２】
また、この「Ｅ型偏光板」を構成する略々平板形状の立体構造を有する色素分子としては、例えば、下記のような分子を用いることができる。これらは、二色吸収性材料の例として好適なものであるが、これらの他の二色吸収性材料も使用することができる。これらは、「Ｅ型偏光板」において、λ／４（四分の一波長）の厚さの層を形成する。
【００３３】
【化１】
2004212921.tif 000003
【００３４】
【化２】
2004212921.tif 000004
【００３５】
【化３】
2004212921.tif 000005
【００３６】
【化４】
2004212921.tif 000006
【００３７】
〔反射型スクリーンの構成〕
本発明に係る反射型スクリーンは、図３に示すように、再表層部が表面部にいわゆる「アンチグレア処理」を施した透明層１となっている。この透明層１は、透過光の偏光状態を乱さない、いわゆる「ＴＡＣ」などの材料により形成されている。この透明層１の背後には、吸収層となる「Ｅ型偏光板」層２が設けられている。そして、この「Ｅ型偏光板」層２の背後には、例えば、アルミニウム等なからなる拡散板などの如き、入射光の偏光方向を乱さないで拡散反射させる拡散反射板３が設けられている。
【００３８】
このような構成からなる本発明に係る反射型スクリーンに偏光した光が入射した場合の反射の状態を、「Ｅ型偏光板」層２に代えて「Ｏ型偏光板」層を備えた従来の反射型スクリーンと比較しながら説明する。
【００３９】
従来の反射型スクリーンにおいては、図４に示すように、この反射型スクリーン１０１の表面を垂直とし、「Ｏ型偏光板」層の図４中矢印で示す光吸収方向を水平として設置した場合、正面から入射する横偏光の光、斜め上方から入射する横偏光の光及び斜め下方から入射する横偏光の光については、「Ｏ型偏光板」層において吸収されることがわかる。しかし、斜め左方、斜め右方から入射する光については光の入射方向が光吸収軸の方向に近くなり光吸収に寄与する方向の成分が正面方向に比べ小さくなるので、たとえ横偏光であっても、偏光選択性が劣化、すなわち、透過させてしまうことがわかる。「Ｏ型偏光板」層を透過した光は、この「Ｏ型偏光板」層の背後の拡散反射板によって反射され、この反射型スクリーンの外方側に出射してしまう。
【００４０】
一方、図５に示すように、「Ｅ型偏光板」層を有する本発明に係る反射型スクリーン４においては、この反射型スクリーン４の表面を垂直となして設置した場合、「Ｅ型偏光板」層における光吸収方向は、図５中矢印Ａ、矢印Ｂ、矢印Ｃ及び矢印Ｄで示すように、この反射型スクリーン４の表面に垂直な特定の一平面内における全ての方向となっている。したがって、この反射型スクリーンにおいては、斜め左方や斜め左方から入射する光に対しても、正面から入射する光と同等の偏光選択性が得られる。また、斜め上方や斜め下方から入射する光については、偏光方向に依らずに、吸収する。
【００４１】
ところで、上述のような反射型スクリーン上に画像表示を行う前面投射型表示装置（フロントプロジェクタ）は、この反射型スクリーンの「Ｅ型偏光板」層を透過する偏光状態の画像表示光をこの反射型スクリーンに対して投射して画像を表示する。そして、この前面投射型表示装置は、この反射型スクリーンのほぼ正面方向に位置して設置される。そのため、この前面投射型表示装置から反射型スクリーンに対して、この反射型スクリーンの斜め上方側や斜め下方側より入射する光はほとんど存在しない。したがって、反射型スクリーンにおいて、斜め上方側や斜め下方側から入射してくる光を偏光方向に依らずに吸収してしまっても不都合は生じず、むしろ、室内の照明光や窓からの外来光の反射を排除できるので、表示画像のコントラストの向上を実現できることとなる。
【００４２】
すなわち、本発明に係る反射型スクリーンにおいては、「Ｅ型偏光板」における正面からの入射光に対する偏光選択性が、「Ｏ型偏光板」を用いた場合と同等ならば、あらゆる方向からの入射光について、「Ｏ型偏光板」と同等か、または、より強い外光排除能力があり、表示画像のコントラストの向上を実現できる。
【００４３】
なお、透明層１は、透過光を拡散させる特性を有するものとしてもよい。また透明層１、「Ｅ型偏光板」層２及び拡散反射板３の積層の順序は、上述のように、前面側より、透明層１、「Ｅ型偏光板」層２及び拡散反射板３という順序に限定されず、前面側より、「Ｅ型偏光板」層２、透明層１及び拡散反射板３という順序としてもよい。
【００４４】
透明層１を、透過光を拡散させる特性を有するものとし、各層の積層順序を前面側より「Ｅ型偏光板」層２、透明層１及び拡散反射板３という順序とした場合には、「Ｅ型偏光板」層２の背後に入射光の偏光方向を乱さないで拡散させる拡散板が設けられたことになり、さらに、この拡散板の背後に反射板が設けられた構成となる。
【００４５】
更に、このような「Ｅ型偏光板」層２において、偏光方向が特定の一軸方向の光束のみを透過する透過軸方向（Ｅ型偏光板においては、屈折率が実数となる異常軸の方向）を反射型スクリーンの縦軸方向（上下方向）とすると、外光排除能力が更に向上し表示画像のコントラストを向上することができる。以下、「Ｅ型偏光板」層２の透過軸と反射型スクリーンの縦軸とを同一方向とした場合について詳細に説明する。
【００４６】
プロジェクタ（全面投射型表示装置）から投射される投射光を反射する反射型スクリーン（フロントスクリーン）の外光コントラストを考えると、外光は上下方向、特に上方から来ることが多い。そこで、図３に示す拡散反射板３を、例えばシルバー系と呼ばれる金属反射的な反射特性を有するものとすることで、その入射光に対する反射光の大きさであるゲインを高くすれば、上方から来る外光を正面にあまり返さず、外光コントラストを向上させることができる。また、図３に示す拡散反射板３として、ビーズスクリーンのように再帰反射性を有するものとすることで入射光に対する入射光の方向へ反射する反射光の大きさであるゲインを高くすれば上方から来る外光を正面にあまり返さず外光コントラストを向上させることができる。偏光スクリーンは、偏光を乱さない拡散反射板が必要なのでゲインの高い拡散反射板を使用していることが多く、このゲインの効果で外光コントラストが高くなっている側面もある。無偏光光下では偏光選択性を有する吸収層においても外光の約半分しか吸収できないため、即ち、半分は透過され反射されてしまうことになり、このゲインの効果は無視できないものとなっている。
【００４７】
しかしながら、外光コントラストを向上させるためと言っても、あまりにゲインを高くすると視野角が狭くなりすぎ、少々の上下の移動により映像の明るさが変って見えたり、スクリーンの周辺部の輝度が小さくなってしまうなどの不都合を生じてしまうため、外光コントラストの向上には限界がある。
【００４８】
一方、通常のディスプレイと同様、このような反射型スクリーンは、使用環境的に、上下方向からよりも、左右方向から見られることが多いので、普通は上下の視野角よりも左右の視野角を大きく取ることができる。
【００４９】
そこで本願発明者等は、これらの知見に鑑み鋭意実験研究した結果、「Ｅ型偏光板」層の透過軸の方向が反射型スクリーンの縦軸方向（上下方向）に一致するようにすると、最も効率よく外光コントラストを向上することができることを見出した。即ち、上述した図２に示す「Ｅ型偏光板」において、各色素分子Ｐの平板形状の主面部を、基材Ｂの主面部に対して略々垂直とするとともに、互いに積層状として配列するのみならず、その主面部に直交する方向となる透過軸方向（ｎｅ軸方向）をスクリーンの上下方向とするものである。以下、このように配置することで、外光コントラストを向上することができる効果について詳細に説明する。
【００５０】
図６は、「Ｅ型偏光板」を透過する自然光の振幅がどのような角度依存性を持つかを表す図であって、図６（ａ）は、透過軸方向を反射型スクリーンの上下方向Ｙとした場合の「Ｅ型偏光板」層を示す模式図、図６（ｂ）及び（ｃ）は、夫々スクリーンの左右方向（水平方向）Ｘの角度及びスクリーンの上下方向（垂直方向）Ｙの角度をとり、縦軸に透過率をとって、「Ｅ型偏光板」を透過する自然光の角度依存性を示すグラフ図である。
【００５１】
図６（ａ）に示すように、「Ｅ型偏光板」２ａに示す円盤は、「Ｅ型偏光板」２ａにおける光吸収分子（色素分子）Ｐａを模式的に表したもので、この円盤の面内のあらゆる方向が全て光吸収軸となっており、光透過軸方向が図の上下方向（スクリーンの縦軸方向）Ｙとなっている。この図６（ａ）に示す「Ｅ型偏光板」２ａに対し、図６（ｂ）及び図６（ｃ）に示すグラフは、「Ｅ型偏光板」２ａの複素屈折率が常光線の方向に１．８−０．３ｉ（ｉ：虚数単位）、異常光線の方向に１．５−０．０２ｉであり、「Ｅ型偏光板」２ａの層の厚みが０．４μｍであるときの無偏光光の透過率を方向の関数として数値計算した結果を表すものである。図６（ｃ）に示すように、「Ｅ型偏光板」２ａは上下方向からの光の透過率が０．２乃至０．４程度となっており、７割近くも吸収している。
【００５２】
これに対し、図７（ａ）は、透過軸方向を反射型スクリーンの縦軸方向Ｙとした場合の「Ｏ型偏光板」層を示す模式図、図７（ｂ）及び（ｃ）は、夫々スクリーンの左右方向Ｘの角度及びスクリーンの上下方向Ｙの角度をとり、縦軸に透過率をとって、「Ｏ型偏光板」を透過する自然光の角度依存性を示すグラフ図であり、図６と同様な計算を、複素屈折率が常光線方向に１．５−４．５×１０−５ｉ（ｉ：虚数単位）、異常光線方向に１．５−２×１０−３ｉであり、厚さが１８０μｍである場合で、光の透過軸の方向がスクリーンの上下方向Ｙとなっている通常の「Ｏ型偏光板」１０２ａに対して行った結果を示すものである。
【００５３】
ここで、図７（ａ）に示す「Ｏ型偏光板」１０２ａにおける矢印は「Ｏ型偏光板」１０２ａの線状の光吸収分子１０２ｂを模式的に表している。図７（ｂ）及び（ｃ）に示すように、「Ｏ型偏光板」１０２ａでは、左右方向及び上下方向のいずれにおいも光の透過率が４割程度と一定であり、光吸収率に方向依存性が殆どない。
【００５４】
このため、このような「Ｅ型偏光板」２ａからなる層及び「Ｏ型偏光板」１０２ａからなる層に対し、同じゲインの拡散板を用いた偏光スクリーン４ａ、１０４ａにおいては、上方から到達する外光の散乱の違いは、光散乱の性質が金属反射的だった場合、夫々図８（ａ）及び（ｂ）のようになり、光散乱の性質が再帰反射的だった場合、夫々図９（ａ）及び（ｂ）のようになる。即ち、外光の散乱が金属反射的であっても、再起反射的であっても、いずれの場合においても「Ｅ型偏光板」２ａを使用した反射型スクリーン４ａの方が、図８（ａ）及び図９（ａ）に示すように、図８（ｂ）及び図９（ｂ）に示す「Ｏ型偏光板」１０２ａに比して上方から入射する光の吸収率が高いため、正面方向への光散乱の大きさを小さくすることができ、より高い外光コントラストを得ることができる。
【００５５】
即ち、このように「Ｅ型偏光板」層の光の透過軸を反射型スクリーンの上下方向とすることで、従来の「Ｏ型偏光板」に比して、上下の視野角をある程度確保したままで、上下方向からの外光を吸収し、外光コントラストが極めて高い偏光スクリーンを実現することができる。
【００５６】
〔表示システムの第１の構成〕
そして、本発明に係る表示システムは、上述のような構成からなる本発明に係る反射型スクリーンと、この反射型スクリーンの「Ｅ型偏光板」層を透過する偏光状態の画像表示光をこの反射型スクリーンに対して投射する前面投射型表示装置とから構成される。
【００５７】
〔前面投射型表示装置の構成〕
上述したように、この表示システムにおいては、反射型スクリーンが偏光選択性を有し、特定方向の直線偏光の光のみを選択して反射する。したがって、前面投射型表示装置としては、反射型スクリーンが選択反射する方向の直線偏光の投射光を投射する必要がある。
【００５８】
すなわち、前面投射型表示装置が反射型スクリーンに対して投射する画像表示光は、「Ｏ型偏光板」または「Ｅ型偏光板」を透過して投射されることにより、所定の偏光状態となされている。あるいは、前面投射型表示装置の構造上、画像表示光が直線偏光となる場合、例えば、空間光変調素子としで液晶素子を用いている前面投射型表示装置などにおいては、この偏光方向が、反射型スクリーンの「Ｅ型偏光板」層を透過する偏光方向となるように設定する。
【００５９】
この前面投射型表１示装置としては、１枚の空間光変調素子を有するいわゆる１板型、２枚の空間光変調素子を有するいわゆる２板型、あるいは、３枚の空間光変調素子を有するいわゆる３板型のいずれでもよく、またこれら空間光変調素子が反射型であっても透過型であってもよい。反射型の空間光変調素子とは、入射光を表示画像に応じて変調して反射させる空間光変調素子である。また、透過型の空間光変調素子とは、入射光を表示画像に応じて変調して透過させる空間光変調素子である。
【００６０】
２板型、あるいは、３枚型の前面投射型表示装置は、表示画像の各色成分（赤色成分、緑色成分及び青色成分）について各空間光変調素子に分担させて変調させ、これら空間光変調素子による変調光を合成して画像表示光とするものである以下、前面投射型表示装置の構成の一例について説明する。この前面投射型表示装置においては、図１０に示すように、例えば、超高圧水銀ランプ（ＵＨＰランプ）やメタルハライドランプ等の放電ランプ等からなる光源となるランプ１０が、リフレクタ１１（放物面鏡）の焦点位置に配置されている。ランプ１０から照射された光は、リフレクタ１１により反射されて光軸にほぼ平行な平行光束となるようにコリメートされて、リフレクタ１１の開口部から出射される。
【００６１】
リフレクタ１１の開口部から出射された光束は、マルチレンズアレイ１２に入射される。このマルチレンズアレイ１２を透過することで、一光束が効率よく、かつ均一に後述する空間光変調素子の有効開口に照射される。
【００６２】
マルチレンズアレイ１２を透過した光束は、ダイ久ロイツクミラー１３以降の色分離／合成光学系に入射される。まず、ダイクロイックミラー１３は、赤色の光束Ｒを透過させ、緑色の光束Ｇ及び青色の光束Ｂを反射させる。このダイクロイックミラー１３を透過した赤色の光束Ｒは、ミラー１４により光路を９０°偏向きれ、赤色用の空間光変調素子１５の前のコンデンサレンズ１６に導かれる。
【００６３】
一方、ダイクロイックミラー１３にて反射された緑色及び青色の光束Ｇ，Ｂはダイクロイックミラー１７により分離されることになる。すなわち、１このダイクロイックミラー１７においては、緑色の光束Ｇは反射されて進行方向を９０°偏向きれ緑色用の空間光変調素子１８の前のコンデンサレンズ１９に導かれる。
【００６４】
また、青色の光束Ｂは、ダイクロイックミラー１７を透過して直進し、リレーレンズ２０、ミラー２１、リレーレンズ２２、ミラー２３を介して、青色用の空間光変調素子２４の前のコンデンサレンズ２５に導かれる。
【００６５】
このようにして、赤、緑、青色の各光束Ｒ，Ｇ，Ｂは、各々のコンデンサレンズ１６，１９，２５を通過して、各色用の空間光変調素子１５，１８，２４に入射される。
【００６６】
これら各色の空間光変調素子１５，１８，２４は、例えば、それぞれ液晶パネルを有するとともに、この液晶パネルの前段に入射光の偏光方向を一定方向に揃えるための入射側偏光板を有している。また、液晶パネルの後段には、出射光の所定の偏光面を持つ光成分のみ透過させるいわゆる検光子が配置され、液晶を駆動する回路の電圧により、光の強度を表示画像に応じて変調するようになされている。
【００６７】
そして、空間光変調素子１５，１８，２４により光変調された各色の光束は、光合成素子（ダイクロイツクプリズム）２６に対して、３方向から入射される。この光合成素子２６は、４分割された立方体状のプリズムと、該分割面に形成された反射膜２６ａ、２６ｂとが組み合わされて構成されている。
【００６８】
光合成素子２６における赤色の光束Ｒは、反射膜２６ａで反射され、また青色の光束Ｂは、反射板２６ｂで反射されて、投射レンズ２７に向けで出射される。緑色の光束Ｇは光合成素子２６内を直進して透過し、投射レンズ２７に向けて出射される。これにより、各光束Ｒ，Ｇ，Ｂが１つの光束に合成された状態で投射レンズ２７に向けて出射される。
【００６９】
一般的に、液晶パネルを光変調素子として用いる前面投射型表示装置においては、液晶パネルが直線偏光を利用することから、直線偏光の投射光を投射する。そして、この前面投射型表示装置においては、直線偏光の状態が、上述の反射型スクリーンの「Ｅ型偏光板」層を透過し反射される方向の直線偏光であるように設定する。
【００７０】
また、図１０に示すように、ダイクロイックプリズム（光合成素子２６）によって色合成を行う構成の場合には、緑色の光束Ｇと、青色、赤色の光束Ｂ，Ｒとで、出射光の偏光軸が直交している場合がある。このままで反射型スクリーンに投射するのは不都合であるので、このような場合には、緑色の光束Ｇの偏光軸を回転させ、青色、赤色の光束Ｂ，Ｒと一致させることのできる素子を、例えば、投射レンズ２７に入射する光束の光路上に配置すればよい。これが図１０に示す偏光軸回転素子２８に相当する。このように、適当な波長域のみ選択して偏光軸を回転させる素子は、周知となっているものであり、例えば、カラーリンク社より「カラーセレクト」の名称で、すでに商品化もされている。
【００７１】
投射レンズ２７は、光合成素子２６側から入射された光束を投射光に変換して、上述の反射型スクリーンの前面に対して投射する。
【００７２】
なお、図１０に示した前面投射型表示装置の構成は、あくまでも一例である。特に、前面投射型表示装置としての色分離／合成光学系の構成は、周知のように多様に存在するものであり、本発明に係る表示システムにおいても、これらの各種、の色分離／合成光学系を備えたものであってもよいものである。また図１０に示した前面投射型表示装置は、透過型の空間光変調素子（液晶パネル）を備えた構成としているが、例えば、反射型空間光変調素子を備えた構成であってもよい。
【００７３】
〔表示システムの第２の構成〕
さらに、上述のように「Ｅ型偏光板」層を有する反射型スクリーンは、図１１に示すように、上述のような前面投射型表示装置５と、さらに、所定の偏光状態の照明光を発する照明装置６と組み合わせることで、本発明に係る表示システムを構成することができる。
【００７４】
このような表示システムの構成として、まず、「Ｏ型偏光板」を用いて室内の照明光を直線偏光とする構成を示す。この表示システムにおいては、室内を照明する照明装置６の光源部から発せられた照明光６ａのうち、少なくとも反射型スクリーン４を照明する照明光については、「Ｏ型偏光板」である吸収板７を透過することによって直線偏光となされたものとなっている。
【００７５】
ここで、反射型スクリーンが「Ｏ型偏光板」層を備えた従来の反射型スクリーンである場合を考える。この場合には、図１２に示すように、「Ｏ型偏光板」である吸収板７をほぼ垂直に透過した照明光は、反射型スクリーンの「Ｏ型偏光板」層に入射するとき、この「Ｏ型偏光板」層において吸収される偏光方向となっているので、この「Ｏ型偏光板」層により効率良く吸収される。
【００７６】
なお、この図１２中において、矢印Ａは、反射型スクリーンの「Ｏ型偏光板」層の光吸収軸を示し、矢印Ｆは、「Ｏ型偏光板」である吸収板７の光吸収軸を示している。また、太い矢印は、吸収板７を透過した照明光の偏光方向を示している。
【００７７】
しかし、この場合において、図１３に示すように、「Ｏ型偏光板」である吸収板７を斜めに透過した照明光の偏光方向は、図１３中の太い矢印で示すように反射型スクリーンの「Ｏ型偏光板」層において吸収される偏光方向に一致しなくなる。したがって、このような照明光は、反射型スクリーンの「Ｏ型偏光板」層において吸収されない成分を含んでいることになる。
【００７８】
そして、反射型スクリーンが「Ｅ型偏光板」層を備えた本発明に係る反射型スクリーンである場合には、図１４に示すように、「Ｏ型偏光板」である吸収板７をほぼ垂直に透過した照明光は、反射型スクリーン４の「Ｅ型偏光板」層に入射するときこの「Ｅ型偏光板」層において吸収される偏光方向となっているので、この「Ｅ型偏光板」層により効率良く吸収される。
【００７９】
また、図１５に示すように、「Ｏ型偏光板」である吸収板７を斜めに透過した照明光の偏光方向は、吸収板７を垂直に透過した照明光の偏光方向とは異なる方向となる。そして、反射型スクリーン４の「Ｅ型偏光板」層は、このような偏光方向である照明光についても効率良く吸収する。
【００８０】
したがって、この表示システムにおいては、図１１に示すように、照明装置６から反射型スクリーン４に至った照明光は、略々全てが効率良く反射型スクリーン４の「Ｅ型偏光板」層において吸収され、この反射型スクリーン４から再び出射されることがない。そのため、この表示システムにおいては、反射型スクリーン４を前面側から観察している鑑賞者８には、前面投射型表示装置５から反射型スクリーン４に投射された画像表示光５ａの反射型スクリーン４による反射光が到達し、照明装置６から反射型スクリーン４に照射された照明光６ａの反射型スクリーン４による反射光が到達することがないので、良好なコントラストの画像が観察される。
【００８１】
〔表示システムの第３の構成（照明装置の構成）〕
さらに、この表示システムにおいては、照明装置６として、本発明に係る照明装置を用いて、すなわち、照明装置６の蛍光ランプ、ハロゲンランプ等の光源部から発せられた照明光６ａを直線偏光とする吸収板７として「Ｅ型偏光板」を用いて、構成することができる。
【００８２】
すなわち、この照明装置においては、一偏光方向が反射型スクリーンにおいて反射されない方向である直線偏光のみが外方側に放射される。なお、この照明装置は光源部を覆うランプカバーを「Ｅ型偏光板」によって構成したり、または、通常のランプカバーの外面部を「Ｅ型偏光板」によって被って構成してもよい。
【００８３】
この照明装置を用いた表示システムにおいては、「Ｅ型偏光板」である吸収板７を透過した照明光は、図１６に示すように、反射型スクリーン４の「Ｅ型偏光板」層に入射するとき、この「Ｅ型偏光板」層において吸収される偏光方向となっているので、この「Ｅ型偏光板」層により効率良く吸収される。そして、この表示システムにおいては、「Ｅ型偏光板」である吸収板７に斜めから入射して透過した照明光についても、図１７に示すように、「Ｅ型偏光板」の光吸収方向が平面内のあらゆる方向であるために、偏光方向が反射型スクリーン４の「Ｅ型偏光板」層の光吸収軸方向と略々同じ方向となるために、この「Ｅ型偏光板」層において効率良く吸収される。
【００８４】
〔表示システムの第４の構成〕
また、この表示システムは、照明装置６として、「Ｅ型偏光板」である吸収板７を有する本発明に係る照明装置を用い、反射型スクリーンとして「Ｏ型偏光板」層を備えた従来の反射型スクリーンを用いて構成することができる。
【００８５】
この照明装置を用いた表示システムにおいては、「Ｅ型偏光板」である吸収板７を透過した照明光は、図１８に示すように、反射型スクリーン１０１の「Ｏ型偏光板」層に入射するとき、この「Ｏ型偏光板」層において吸収される偏光方向となっているので、この「Ｏ型偏光板」層により効率良く吸収される。そして、この表示システムにおいては、「Ｅ型偏光板」である吸収板７に斜めから入射して透過した照明光についても、図１９に示すように、「Ｅ型偏光板」の光吸収方向が一平面内のあらゆる方向であるために、偏光方向が反射型スクリーンの「Ｏ型偏光板」層の光吸収軸方向と略々同じ方向となるためにこの「Ｏ型偏光板」層において効率良く吸収される。
【００８６】
〔表示システムの第５の構成〕
また、図１１に示す室内３０には、窓に対していわゆるブライツドカーテンとして、「Ｅ型偏光板」である吸収板３１を取り付けている。
【００８７】
したがって、窓から室内３０に進入しようとする外光は、「Ｅ型偏光板」である吸収板３１によって、直線偏光の光のみとなって、室内３０に入ってくることになる。そして、「Ｅ型偏光板」である吸収板３１を介してこの室内３０に進入してきた光が反射型スクリーン４に到達しても、この反射型スクリーン４の「Ｅ型偏光板」層を透過することなく吸収されるようになっている。このようにして、「Ｅ型偏光板」である吸収板３１を窓に取り付けることによって、外光による表示画像のコントラスト低下を防止することができる。
【００８８】
また、この表示システムにおいては、例えば壁面３２を利用することによっても外光による表示画像のコントラスト低下の防止を図ることができる。
【００８９】
すなわち、壁面３２に対して、反射型スクリーン４の「Ｅ型偏光板」層とは異なる透過軸方向の「Ｅ型偏光板」を設ける。また、壁面部材に光の吸収作用を与えるか、部材裏面に吸収層を設ける。これにより、壁面３２に到達した光のうち、一方向の直線偏光の他の光成分は反射されずに吸収されることになる。一方、壁面３２にて反射される光は、反射型スクリーン４の「Ｅ型偏光板」層を透過する偏光方向と異なる方向の直線偏光の光であるから、反射型スクリーン４に到達しても、ここで反射されることなく吸収されることになる。
【００９０】
なお、壁面３２に限られることなく、例えば天井面３３や床面３４にも同様の作用が得られる処理を施してもよい。すなわち、この表示システムとしては、室内面における何れの面についても壁面３２と同様の処理を行ってもよい。さらには、室内面だけではなく、反射光が反射型スクリーン４に達する位置に配置された家具等、室内の各種設置物の表面においても、同様の処理を施すことにより外光による表示画像のコントラスト低下を防止することができる。
【００９１】
〔照明装置の他の構成〕
ところで、前面投射型表示装置５の光源には、上述のように、超高圧水銀ランプー（ＵＨＰランプ）や、メタルハライドランプ等の放電ランプが用いられるのが一般的である。このような放電ランプからの放射光には、色分離、照明の過程で有効に使われない光成分が含まれており、前面投射型表示装置５を構成する電体等の部材で吸収される。
【００９２】
そこで、この照明装置としては、このような画像表示にとって不要な光成分を吸収してしまうのではなく、室内の照明光として利用することを提案する。すなわち、前面投射型表示装置５から、この不要光が照明光として外部に拡散出射されるようにするものである。これは、前面投射型表示装置５を照明装置としても兼用させることを意味している。
【００９３】
このような照明装置を構成するには、例えば、前面投射型表示装置５内にて、画像表示には使用されない帯域の不要光が筐体を透して外部に出射されるようにする。そのうえで、筐体の外装部分に拡散材を用いて、内部からの光が外部に拡散じて出射されるようにする。そして、このように前面投射型表示装置５の外部に拡散して出射された照明光を、「Ｅ型偏光板」、あるいは、「Ｏ型偏光板」を透過させることにより、この照明光の偏光方向を、反射型スクリーン４において、反射されない偏光方向とすることができる。
【００９４】
【発明の効果】
上述のように、本発明に係る反射型スクリーンにおいては、偏光方向が特定の軸方向の光束のみを透過させこの一軸方向の他の方向の偏光成分を吸収する吸収層を有して構成されていることにより、投射された光束のうち特定方向の直線偏光成分の光のみを選択反射する機能が得られる。
【００９５】
したがって、本発明に係る反射型スクリーンと前面投射型表示装置とを組み合わせた本発明に係る表示システムにおいては、前面投射型表示装置から反射型スクリーンに投射された該反射型スクリーンの吸収層を透過する特定の一軸方向の偏光成分からなる投射光は、反射型スクリーンにおいて選択反射され、一方、投射光と異なる方向の直線偏光成分は、吸収層において吸収され、反射型スクリーンにより反射されない。
【００９６】
そして、本発明に係る照明装置においては、少なくとも反射型スクリーンを照明する照明光については、吸収板により、偏光方向が特定の一軸方向の光束のみとなされ、反射型スクリーンにおいて、この一軸方向と異なる一軸方向の他の方向の偏光成分を吸収する吸収層において吸収されるので、反射型スクリーンにおいて反射されない。
【００９７】
さらに、上述のような反射型スクリーン、前面投射型表示装置及び照明装置とを組み合わせた本発明に係る表示システムにおいては、前面投射型表示装置から反射型スクリーンに投射された該反射型スクリーンの吸収層を透過する特定の一軸方向の偏光成分からなる投射光は、反射型スクリーンにおいて選択反射され、一方、投射光と異なる方向の直線偏光成分は、吸収層において吸収され、反射型スクリーンにより反射されず、また、照明装置において、少なくとも反射型スクリーンを照明する照明光については、吸収板により、偏光方向が上記特定の一軸方向と異なる一軸方向の光束のみとなされるので、反射型スクリーンにおいて、上記特定の一軸方向と異なる一軸方向の偏光成分を吸収する吸収層において吸収されるので、反射型スクリーンにおいて反射されない。
【００９８】
すなわち、本発明は、前面投射型表示装置（フロントプロジェクタ）によって画像表示光を投射される反射型スクリーンにおいて、この反射型スクリーンに到達する外光が明るい環境下であっても、充分に高いコントラストの表示画像が得られるようになされた反射型スクリーンを提供し、また、このような反射型スクリーンにおいて反射されない照明光を照射することができる照明装置を提供し、さらに、このような反射型スクリーン及び前面投射型表示装置からなり、あるいは、さらに、上述のような照明装置を有して構成される表示システムを提供することができるものである。
【図面の簡単な説明】
【図１】本発明に係る反射型スクリーンを構成する「Ｅ型偏光板」の特性を示すグラフである。
【図２】上記「Ｅ型偏光板」の分子構造を示す斜視図である。
【図３】上記反射型スクリーンの構成を示す縦断面図である。
【図４】従来の反射型スクリーンの偏光特性を示す正面図、上面図及び側面図である。
【図５】本発明に係る反射型スクリーンの偏光特性を示す正面図、上面図及び側面図である。
【図６】「Ｅ型偏光板」を透過する自然光の振幅がどのような角度依存性を持つかを表す図であって、（ａ）は、透過軸方向を反射型スクリーンの上下方向Ｙとした場合の「Ｅ型偏光板」層を示す模式図、（ｂ）及び（ｃ）は、夫々スクリーンの左右方向（水平方向）Ｘの角度及びスクリーンの上下方向（垂直方向）Ｙの角度をとり、縦軸に透過率をとって、「Ｅ型偏光板」を透過する自然光の角度依存性を示すグラフである。
【図７】（ａ）は、透過軸方向を反射型スクリーンの縦軸方向Ｙとした場合の「Ｏ型偏光板」層を示す模式図、（ｂ）及び（ｃ）は、夫々スクリーンの左右方向Ｘの角度及びスクリーンの上下方向Ｙの角度をとり、縦軸に透過率をとって、「Ｏ型偏光板」を透過する自然光の角度依存性を示すグラフである。
【図８】（ａ）及び（ｂ）は、光散乱の性質が金属反射的だった場合に、吸収層を夫々「Ｅ型偏光板」層及び「Ｏ型偏光板」層とした場合の正面方向への光散乱の大きさを示す模式図である。
【図９】（ａ）及び（ｂ）は、光散乱の性質が再帰反射的だった場合に、吸収層を夫々「Ｅ型偏光板」層及び「Ｏ型偏光板」層とした場合の正面方向への光散乱の大きさを示す模式図である。
【図１０】本発明に係る表示システムを構成する前面投射型表示装置の構成の一例を示す平面図である。
【図１１】上記表示システムの構成を示す側面図である。
【図１２】従来の反射型スクリーンにおいて「Ｏ型偏光板」による直線偏光が入射された状態を示す正面図である。
【図１３】従来の反射型スクリーンにおいて「Ｏ型偏光板」による直線偏光が入射された状態を示す斜視図である。
【図１４】本発明に係る反射型スクリーンにおいて「Ｏ型偏光板ゴによる直線偏光が入射された状態を示す正面図である。
【図１５】本発明に係る反射型スクリーンにおいて「Ｏ型偏光板」による直線偏光が入射された状態を示す斜視図である。
【図１６】本発明に係る反射型スクリーンにおいて「Ｅ型偏光板」による直線偏光が入射された状態を示す正面図である。
【図１７】本発明に係る反射型スクリーンにおいて「Ｅ型偏光板」による直線偏光が入射された状態を示す斜視図である。
【図１８】従来の反射型スクリーンにおいて本発明に係る照明装置による「Ｅ型偏光板」による直線偏光が入射された状態を示す正面図である。
【図１９】従来の反射型スクリーンにおいて本発明に係る照明装置による「Ｅ型偏光板」による直線偏光が入射された状態を示す斜視図である。
【図２０】従来の反射型スクリーンを構成する「Ｏ型偏光板」の特性を示すクラフである。
【符号の説明】
１  透明層、２  「Ｅ型偏光板」層、３  拡散反射板、４  反射型スクリーン、５  前面投射型表示装置、６  照明装置、７  「Ｅ型偏光板」である吸収板
【図１】
2004212921.tif 000007
【図２】
2004212921.tif 000008
【図３】
2004212921.tif 000009
【図４】
2004212921.tif 000010
【図５】
2004212921.tif 000011
【図６】
2004212921.tif 000012
【図７】
2004212921.tif 000013
【図８】
2004212921.tif 000014
【図９】
2004212921.tif 000015
【図１０】
2004212921.tif 000016
【図１１】
2004212921.tif 000017
【図１２】
2004212921.tif 000018
【図１３】
2004212921.tif 000019
【図１４】
2004212921.tif 000020
【図１５】
2004212921.tif 000021
【図１６】
2004212921.tif 000022
【図１７】
2004212921.tif 000023
【図１８】
2004212921.tif 000024
【図１９】
2004212921.tif 000025
【図２０】
2004212921.tif 000026